(57)【要約】【課題】  チューナブルフィルタを用いることなく光源の異常を検出することで、伝送装置のコスト上昇を抑制することを目的とする。【解決手段】  複数の波長の光信号を多重化した波長分割多重信号を送信元の伝送装置から受信する伝送装置を含む伝送システムであって、伝送装置は、外部の装置から受信したデータを光信号で射出する光源と、光源から射出された光信号を含む複数の波長の光信号を多重化する合波部と、受信した波長分割多重信号を複数の波長の光信号に分波する分波部と、分波された複数の波長の光信号の強度を測定する測定部と、測定部により測定された光信号が送信元の伝送装置の光源から射出される時の状態を示す状態情報を送信元の伝送装置から取得する取得部と、測定された光信号の強度および取得した状態情報に基づいて、送信元の伝送装置における光源の異常を検出する検出部とを有する。【選択図】    図１
2016158125.tif 000002
【特許請求の範囲】
【請求項１】
複数の波長の光信号を多重化した波長分割多重信号を送信元の伝送装置から受信する伝送装置を含む伝送システムであって、
前記伝送装置は、
外部の装置から受信したデータを光信号で射出する光源と、
前記光源から射出された光信号を含む複数の波長の光信号を多重化する合波部と、
受信した波長分割多重信号を前記複数の波長の光信号に分波する分波部と、
分波された前記複数の波長の光信号の強度を測定する測定部と、
前記測定部により測定された光信号が前記送信元の伝送装置の光源から射出される時の状態を示す状態情報を前記送信元の伝送装置から取得する取得部と、
測定された前記光信号の強度および取得した前記状態情報に基づいて、前記送信元の伝送装置における光源の異常を検出する検出部とを備える
ことを特徴とする伝送システム。
【請求項２】
請求項１に記載の伝送システムにおいて、
前記送信元の伝送装置は、光源から射出される光信号の強度を調整する調整部を備え、
前記状態情報は、前記光源から射出される光信号の強度と前記調整部に設定される調整量とを含み、
前記検出部は、前記測定部により測定された光信号を除く光信号の強度が第１閾値以上であり、前記調整量が第２閾値より小さく、測定された前記光信号の射出時の強度が第３閾値以上である場合に、前記測定部により測定された光信号の強度に基づいて前記送信元の伝送装置における光源の異常を検出する
ことを特徴とする制御システム。
【請求項３】
請求項２に記載の伝送システムにおいて、
前記伝送装置は、前記送信元の伝送装置の光源の異常を検出した場合、異常を検出した光源を停止させる指示を前記送信元の伝送装置に出力する制御部を備えることを特徴とする伝送システム。
【請求項４】
請求項２に記載の伝送システムにおいて、
前記伝送装置は、前記送信元の伝送装置の光源の異常を検出した場合、前記送信元の伝送装置の前記調整部に測定した光信号を遮断させる指示を前記送信元の伝送装置に出力する制御部を備えることを特徴とする伝送システム。
【請求項５】
外部の装置から受信したデータを光信号で射出する光源と、
前記光源から射出された光信号を含む複数の波長の光信号を多重化する合波部と、
受信した波長分割多重信号を前記複数の波長の光信号に分波する分波部と、
分波された前記複数の波長の光信号の強度を測定する測定部と、
前記測定部により測定された光信号が前記送信元の伝送装置の光源から射出される時の状態を示す状態情報を前記送信元の伝送装置から取得する取得部と、
測定された前記光信号の強度および取得した前記状態情報に基づいて、前記送信元の伝送装置における光源の異常を検出する検出部と
を備えることを特徴とする伝送装置。
【発明の詳細な説明】
【技術分野】
【０００１】
本発明は、伝送システムおよび伝送装置に関する。
【背景技術】
【０００２】
例えば、光信号を利用してデータを伝送する伝送装置には、複数の波長の光信号を波長分割多重してデータを伝送する波長分割多重伝送装置がある。以下、波長分割多重伝送装置は、ＷＤＭ（Wavelength Division Multiplexing）伝送装置とも称される。ＷＤＭ伝送装置は、コンピュータ等の複数の外部装置からそれぞれ受信するデータの各々を複数の波長のいずれかの光信号に変換し、変換した光信号を多重化して伝送する。例えば、データは、互いに異なる波長の光信号を射出するように設定された複数のレーザ光源を用いて複数の波長の光信号に変換される。変換された複数の波長の光信号は、ＷＳＳ（Wavelength Selective Switch）等の合波器により多重化される。
【０００３】
例えば、合波器は、各波長の光信号を透過するフィルタを有する。このため、レーザ光源から射出される光信号の波長が、レーザ光源の故障等により所定の波長からずれる場合、波長がずれた光信号の強度は、合波器のフィルタで減衰され、データの伝送が困難となることがある。
【０００４】
そこで、透過する光信号の波長を制御するチューナブルフィルタを含む光チャンネルモニタを搭載し、各レーザ光源から射出される光信号の強度を監視することで、各レーザ光源の異常を検出するＷＤＭ伝送装置が提案されている（特許文献１参照）。
【先行技術文献】
【特許文献】
【０００５】
【特許文献１】特開２０１３−１９７８０４号公報
【発明の概要】
【発明が解決しようとする課題】
【０００６】
しかしながら、チューナブルフィルタを搭載するＷＤＭ伝送装置の場合、ＷＤＭ伝送装置のコストは上昇する。
【０００７】
本件開示の伝送システムおよび伝送装置は、チューナブルフィルタを用いることなく光源の異常を検出することで、伝送装置のコスト上昇を抑制することを目的とする。
【課題を解決するための手段】
【０００８】
一つの観点の伝送システムは、複数の波長の光信号を多重化した波長分割多重信号を送信元の伝送装置から受信する伝送装置を含む伝送システムであって、伝送装置は、外部の装置から受信したデータを光信号で射出する光源と、光源から射出された光信号を含む複数の波長の光信号を多重化する合波部と、受信した波長分割多重信号を複数の波長の光信号に分波する分波部と、分波された複数の波長の光信号の強度を測定する測定部と、測定部により測定された光信号が送信元の伝送装置の光源から射出される時の状態を示す状態情報を送信元の伝送装置から取得する取得部と、測定された光信号の強度および取得した状態情報に基づいて、送信元の伝送装置における光源の異常を検出する検出部とを有する。
【０００９】
別の観点の伝送装置は、外部の装置から受信したデータを光信号で射出する光源と、光源から射出された光信号を含む複数の波長の光信号を多重化する合波部と、受信した波長分割多重信号を複数の波長の光信号に分波する分波部と、分波された複数の波長の光信号の強度を測定する測定部と、測定部により測定された光信号が送信元の伝送装置の光源から射出される時の状態を示す状態情報を送信元の伝送装置から取得する取得部と、測定された光信号の強度および取得した状態情報に基づいて、送信元の伝送装置における光源の異常を検出する検出部とを有する。
【発明の効果】
【００１０】
本件開示の伝送システムおよび伝送装置は、チューナブルフィルタを用いることなく光源の異常を検出することで、伝送装置のコスト上昇を抑制することができる。
【図面の簡単な説明】
【００１１】
【図１】伝送システムおよび伝送装置の一実施形態を示す図である。
【図２】伝送システムおよび伝送装置の別の実施形態を示す図である。
【図３】図２に示した制御部による増幅器に対する自動レベル制御の一例を示す図である。
【図４】図２に示した伝送システムにおける故障の検出処理の一例を示す図である。
【図５】図４に示した検出処理の続きを示す図である。
【図６】伝送システムおよび伝送装置の別の実施形態を示す図である。
【図７】図６に示した伝送装置の一例を示す図である。
【図８】図６に示した伝送システムにおける故障の検出処理の一例を示す図である。
【図９】図８に示した検出処理の続きを示す図である。
【発明を実施するための形態】
【００１２】
以下、図面を用いて実施形態について説明する。
【００１３】
図１は、伝送システムおよび伝送装置の一実施形態を示す。
【００１４】
図１に示す伝送システム１００は、光ファイバ等の伝送路ＯＦを介して互いに接続される２つの伝送装置１０（１０（１）、１０（２））を有する。伝送装置１０（１）、１０（２）は、互いに同等の機能を有する。なお、伝送システム１００は、互いに接続された３以上の伝送装置１０を有してもよい。
【００１５】
伝送装置１０（１）は、光源２０、合波部３０、分波部４０、測定部５０、取得部６０および検出部７０を有する。なお、伝送装置１０（１）と伝送装置１０（２）とは、互いに同等の機能を有するため、図１では、伝送装置１０（２）の各要素を省略する。また、取得部６０および検出部７０の機能は、伝送装置１０に含まれるＣＰＵ（Central Processing Unit）等の演算処理装置が実行するプログラムにより実現されてもよく、ハードウェアにより実現されてもよい。
【００１６】
光源２０は、予め設定された波長の光信号を射出するレーザ光源等である。光源２０は、伝送装置１０に接続されたコンピュータ等の外部の装置から受信したデータを光信号で射出する。
【００１７】
合波部３０は、光源２０からの光信号とともに、伝送装置１０（１）に接続されたインターネット等のネットワークから受信する各波長の光信号を多重化し、多重化した波長分割多重信号（以下、ＷＤＭ信号）を伝送路ＯＦに出力する。
【００１８】
分波部４０は、ＷＳＳ等の分波器である。分波部４０は、対向する別の伝送装置１０から受信したＷＤＭ信号を複数の波長の光信号それぞれに分波する。分波部４０は、分波した各波長の光信号を、伝送装置１０に接続される外部の装置およびネットワークに出力する。
【００１９】
測定部５０は、光信号の強度の一部を取り出すスプリッタ等の分離装置と、取り出した光信号の強度を測定するフォトダイオード等の検出器とを有する。測定部５０は、分波部４０により分波された複数の波長の光信号の強度を測定する。なお、測定部５０は、光源２０から光信号が射出された時の強度を測定してもよい。
【００２０】
取得部６０は、測定された光信号が送信元の伝送装置１０から射出された時の状態を示す状態情報を送信元の伝送装置１０から取得する。例えば、状態情報は、送信元の伝送装置１０の光源２０から光信号が射出された時の強度を含む。なお、取得部６０は、伝送路ＯＦを介して、状態情報を送信元の伝送装置１０から取得してもよい。あるいは、取得部６０は、伝送路ＯＦとは別に送信元の伝送装置１０と接続された信号線を介して、状態情報を送信元の伝送装置１０から取得してもよい。
【００２１】
検出部７０は、測定された光信号の強度および取得された状態情報に基づいて、送信元の伝送装置１０における光源２０の異常を検出する。
【００２２】
以上、図１に示した実施形態では、伝送路ＯＦを介して受信する光信号の強度を測定するとともに、測定された光信号の状態情報を送信元の伝送装置１０から取得することで、送信元の伝送装置１０における光源２０の異常を検出する。これにより、伝送装置１０は、チューナブルフィルタを用いることなく光源２０の異常を検出することができ、チューナブルフィルタを含む光チャンネルモニタを用いないためコスト削減を図ることができる。
【００２３】
図２は、伝送システムおよび伝送装置の別の実施形態を示す。図２に示した伝送システム１００ａは、光ファイバ等の伝送路ＯＦ１、ＯＦ２を介して互いに接続される２つの伝送装置１０ａ（１０ａ（１）、１０ａ（２））を有する。伝送装置１０ａ（１）、１０ａ（２）は、互いに同等の機能を有する。伝送装置１０ａ（１）は、Ｎ個の端末装置２００ａ（２００ａ（１）−２００ａ（Ｎ））に接続される。伝送装置１０ａ（１）は、端末装置２００ａから受信したデータを伝送装置１０ａ（２）に伝送し、伝送装置１０ａ（２）から受信したデータを端末装置２００ａに送信する。伝送装置１０ａ（２）は、Ｎ個の端末装置２００ｂ（２００ｂ（１）−２００ｂ（Ｎ））に接続される。伝送装置１０ａ（２）は、端末装置２００ｂから受信したデータを伝送装置１０ａ（１）に伝送し、伝送装置１０ａ（１）から受信したデータを端末装置２００ｂに送信する。なお、端末装置２００ａ、２００ｂは、例えば、ＣＰＵ等の演算処理装置と、ハードディスク装置等の記憶装置とを有するコンピュータ装置である。
【００２４】
監視装置９０は、ＣＰＵ等の演算処理装置と、ハードディスク装置等の記憶装置とを有するコンピュータ装置である。監視装置９０は、有線あるいは無線で伝送装置１０ａのそれぞれに接続され、各伝送装置１０ａの動作を監視する。なお、監視装置９０は、ネットワーク等に接続され、ネットワークを介して各伝送装置１０ａを監視してもよい。
【００２５】
伝送装置１０ａ（１）は、Ｎ個のトランスポンダ２５（２５（１）−２５（Ｎ））およびＮ個のＶＯＡ（Variable Optical Attenuator）４５（４５（１）−４５（Ｎ））を有する。伝送装置１０ａ（１）は、Ｎ個のＰＤ（Photo Detector）５０ａ（５０ａ（１）−５０ａ（Ｎ））、Ｎ個のＰＤ５０ｂ（５０ｂ（１）−５０ｂ（Ｎ））、合波部３０ａ、分波部４０ａ、制御部１２０、および増幅器８０ａ、８０ｂを有する。
【００２６】
トランスポンダ２５は、端末装置２００ａから受信した電気信号を予め設定された波長の光信号に変換するレーザ光源等を有する。トランスポンダ２５は、レーザ光源から射出された光信号をＶＯＡ４５に出力する。また、トランスポンダ２５は、分波部４０ａにより分波された光信号のうち、予め設定された波長の光信号をＰＤ５０ｂを介して受信し、受信した光信号を電気信号に変換する変換装置を有する。そして、トランスポンダ２５は、変換した電気信号を端末装置２００ａに出力する。トランスポンダ２５は、光源の一例である。
【００２７】
ＶＯＡ４５は、各トランスポンダ２５から出力された光信号の強度が互いに等しくなるように調整する。ＶＯＡ４５は、強度を調整した光信号をＰＤ５０ａに出力する。ＶＯＡ４５が調整する調整量（以下、“減衰量”とも称する）は、制御部１２０による制御に基づいて設定される。ＶＯＡ４５は、調整部の一例である。
【００２８】
ＰＤ５０ａ、５０ｂは、受信した光信号の強度の一部を取り出すスプリッタ等の分離器と、取り出した光信号の強度を測定するフォトダイオード等の検出器とを有する。ＰＤ５０ａは、ＶＯＡ４５を介してトランスポンダ２５から受信した光信号を合波部３０ａに出力するとともに、受信した光信号の強度を検出器で測定する。ＰＤ５０ａは、測定した光信号の強度を示す情報を制御部１２０に出力する。ＰＤ５０ｂは、分波部４０ａで分波された各波長の光信号をトランスポンダ２５に出力するとともに、各波長の光信号の強度を検出器で測定する。ＰＤ５０ｂは、測定した光信号の強度を示す情報を制御部１２０に出力する。
【００２９】
合波部３０ａは、ＷＳＳ等である。合波部３０ａは、各ＰＤ５０ａから受信した光信号を多重化し、多重化したＷＤＭ信号を増幅器８０ａに出力する。なお、合波部３０ａは、複数の光信号を受信する入力側に、各光信号を透過するフィルタを有する。フィルタが透過する光信号の波長は、制御部１２０による制御に基づいて設定される。
【００３０】
増幅器８０ａ、８０ｂは、ＬＤ（Laser Diode）等を有する。増幅器８０ａ、８０ｂは、ＬＤから射出されるレーザ光をＷＤＭ信号が伝達する光ファイバに注入することで、伝達するＷＤＭ信号の強度を増幅させる。増幅器８０ａは、合波部３０ａにより多重化されたＷＤＭ信号を増幅し、増幅したＷＤＭ信号を伝送装置１０ａ（２）に出力する。増幅器８０ｂは、伝送装置１０ａ（２）から受信したＷＤＭ信号の強度を増幅し、増幅したＷＤＭ信号を分波部４０ａに出力する。なお、増幅器８０ａの利得は、合波部３０ａで多重化される光信号の数に応じて制御部１２０がＬＤから出力されるレーザ光の強度を調整することで設定される。増幅器８０ａの動作については、図３で説明する。また、増幅器８０ｂの利得は、制御部１２０がＬＤから出力されるレーザ光の強度を調整することで設定される。
【００３１】
例えば、制御部１２０は、ＣＰＵ等の演算処理装置である。制御部１２０は、伝送装置１０ａ（１）に含まれるメモリ等の記憶装置に格納されたプログラムを実行することで、伝送装置１０ａ（１）の各要素の動作を制御する。また、制御部１２０は、伝送装置１０ａ（１）の記憶装置に格納されるプログラムを実行することで、取得部６０ａおよび検出部７０ａとして機能する。図２の点線の矢印は、制御部１２０と各要素とを繋ぐ信号線を示す。
【００３２】
取得部６０ａは、伝送装置１０ａ（２）のトランスポンダ２５により射出された各波長の光信号の射出時の状態を示す情報を、伝送路ＯＦ２を介して伝送装置１０ａ（２）の制御部１２０から取得する。
【００３３】
また、取得部６０ａは、伝送装置１０ａ（１）のＶＯＡ４５あるいは増幅器８０ａ、８０ｂに設定された減衰量あるいは利得等の設定値を取得する。
【００３４】
また、取得部６０ａは、ＰＤ５０ａ、５０ｂの各々で測定された光信号の強度を取得する。制御部１２０は、伝送装置１０ａ（１）が送信元の場合に、取得部６０ａにより取得された各ＶＯＡ４５の減衰量および各ＰＤ５０ａで測定された光信号の強度を、トランスポンダ２５から射出された時の光信号の状態を示す状態情報として生成する。そして、制御部１２０は、伝送路ＯＦ１を介して、生成した伝送装置１０ａ（１）の状態情報を送信先の伝送装置１０ａ（２）に送信する。
【００３５】
検出部７０ａは、伝送装置１０ａ（２）から取得された各波長の光信号の射出時の状態を示す情報およびＰＤ５０ｂで測定された各波長の光信号の強度に基づき、送信元の伝送装置１０ａ（２）の各トランスポンダ２５の異常を検出する。なお、検出部７０ａは、送信元の伝送装置１０ａ（２）の各トランスポンダ２５のレーザ光源の異常を検出するために、次の３つの条件を満たすか否かを予め判定する。すなわち、検出部７０ａは、伝送路ＯＦ２において断線等の障害がないことを示す第１の条件を満たすか否かを判定する。また、検出部７０ａは、伝送装置１０ａ（２）のＶＯＡ４５に設定された減衰量が閾値βより小さいことを示す第２の条件を満たすか否かを判定する。さらに、検出部７０ａは、伝送装置１０ａ（２）のトランスポンダ２５から射出された時の各波長の光信号の強度が閾値α以上を示す第３の条件を満たすか否かを判定する。
【００３６】
例えば、検出部７０ａは、ＰＤ５０ｂで測定された光信号の強度のうち、伝送装置１０ａ（２）における検出対象のトランスポンダ２５以外のトランスポンダ２５からの光信号の強度が０より大きい場合、伝送路ＯＦ２に断線等の障害がないと判定する。すなわち、検出部７０ａは、第１の条件を満たすと判定する。一方、検出部７０ａは、伝送装置１０ａ（２）において検出対象のトランスポンダ２５以外の全てのトランスポンダ２５からの光信号の強度が０の場合、伝送路ＯＦ２に断線等の障害が発生し、第１の条件を満たしていないと判定する。強度０は第１閾値の一例である。
【００３７】
また、検出部７０ａは、伝送装置１０ａ（２）から取得された各波長の光信号の射出時の状態を示す情報に含まれる各ＶＯＡ４５に設定された減衰量が閾値βより小さい場合、第２の条件を満たすと判定する。すなわち、検出部７０ａは、伝送装置１０ａ（２）のトランスポンダ２５から射出された光信号がＶＯＡ４５で遮断されず、合波部３０ａに入力されたと判定する。一方、検出部７０ｂは、伝送装置１０ａ（２）から取得された情報におけるＶＯＡ４５のいずれかの減衰量が閾値β以上の場合、第２の条件を満たしていないと判定する。すなわち、検出部７０ａは、減衰量が閾値β以上に設定された伝送装置１０ａ（２）のＶＯＡ４５によりトランスポンダ２５から射出された光信号が遮断され、合波部３０ａに入力されていないと判定する。閾値βは第２閾値の一例である。
【００３８】
また、検出部７０ａは、伝送装置１０ａ（２）から取得された各波長の光信号の射出時の状態を示す情報に含まれる各波長の光信号の射出時の強度が閾値α以上の場合、第３の条件を満たすと判定する。すなわち、検出部７０ａは、伝送装置１０ａ（２）の各トランスポンダ２５からの光信号が合波部３０ａに入力されていると判定する。一方、検出部７０ａは、伝送装置１０ａ（２）から取得された情報におけるいずれかの波長の光信号の射出時の強度が閾値αより小さい場合、第３の条件を満たしていないと判定する。すなわち、検出部７０ａは、強度が閾値αより小さいと判定された伝送装置１０ａ（２）のトランスポンダ２５からの光信号が合波部３０ａに入力されていないと判定する。閾値αは第３閾値の一例である。なお、強度０、閾値αおよび閾値βは、伝送装置１０ａ（１）の記憶装置に予め格納される。
【００３９】
検出部７０ａは、第１の条件から第３の条件を満たす場合に、ＰＤ５０ｂで測定された各波長の光信号の強度に基づいて、送信元の伝送装置１０ａ（２）の各トランスポンダ２５における動作の状態を検査する。検出部７０ａが、検査により伝送装置１０ａ（２）のトランスポンダ２５の異常を検出した場合、制御部１２０は、伝送路ＯＦ１を介し異常が検出されたトランスポンダ２５を示す情報を伝送装置１０ａ（２）に通知する。伝送装置１０ａ（２）の制御部１２０は、伝送装置１０ａ（１）から受信した通知に基づいて、異常が検出されたトランスポンダ２５を停止させる。
【００４０】
また、制御部１２０は、例えば、増幅器８０ａによる増幅後のＷＤＭ信号に含まれる各波長の光信号の強度をＰＷ１に予め設定する。制御部１２０は、設定された強度ＰＷ１と、ＷＤＭ信号に含まれる光信号の数とを乗算した値を、増幅器８０ａによる増幅後のＷＤＭ信号の強度となるように、増幅器８０ａの利得を制御する。すなわち、制御部１２０は、増幅器８０ａに対して自動レベル制御（ＡＬＣ：Automatic Level Control）を実行する。なお、予め設定される強度ＰＷ１は、伝送装置１０ａ（１）の記憶装置に格納される。
【００４１】
図３は、図２に示した制御部１２０による増幅器８０ａに対する自動レベル制御の一例を示す。図３は、増幅器８０ａの入力側におけるＷＤＭ信号が３つの状態の場合に、制御部１２０の自動レベル制御により増幅されたＷＤＭ信号の増幅器８０ａの出力側における状態を示す。状態１は、強度が互いに等しい３つの波長λ１、λ２、λ３の光信号が合波部３０ａで多重化されたＷＤＭ信号が、増幅器８０ａに入力される場合を示す。なお、波長λ１、λ２、λ３の光信号は、伝送装置１０ａ（１）のトランスポンダ２５により射出された光信号（すなわちＮ＝３）とする。
【００４２】
図３に示した状態２は、トランスポンダ２５（２）におけるレーザ光源の故障等により、波長λ２の光信号が射出されず、２つの波長λ１、λ３の光信号が多重化されたＷＤＭ信号が増幅器８０ａに入力される場合を示す。図３に示した状態３は、トランスポンダ２５（２）のレーザ光源が故障等により波長λ２からずれた波長の光信号を射出し、波長λ１、λ３の光信号と波長λ２からずれた波長の光信号とが多重化されたＷＤＭ信号が増幅器８０ａに入力される場合を示す。
【００４３】
なお、図３に示した各グラフの縦軸は、ＷＤＭ信号に含まれる各波長の光信号の強度を示し、各グラフの横軸は、ＷＤＭ信号に含まれる光信号の波長を示す。また、閾値γは、第３の条件の閾値αに対応する値で、合波部３０ａの出力側（すなわち増幅器８０ａの入力側）の値を示す。制御部１２０は、ＰＤ５０ａの測定に基づいて、トランスポンダ２５から射出された波長の光信号が閾値α以上の強度を示す場合、トランスポンダ２５の光信号が増幅器８０ａに入力されていると判定する。一方、制御部１２０は、ＰＤ５０ａの測定に基づいて、トランスポンダ２５から射出された波長の光信号が閾値αより小さい強度を示す場合、トランスポンダ２５の光信号が増幅器８０ａに入力されていないと判定する。
【００４４】
例えば、図３に示した状態１のＷＤＭ信号の場合、制御部１２０は、トランスポンダ２５から射出された光信号の数を、ＰＤ５０ａにより測定された光信号の強度が閾値α以上を示す光信号の数（＝３）として求める。制御部１２０は、光信号の合計数３と設定された強度ＰＷ１とを乗算した乗算値を求め、求めた乗算値が増幅器８０ａによる増幅後のＷＤＭ信号の強度となるように増幅器８０ａの利得を設定する。増幅器８０ａは、図３に示すように、増幅器８０ａの出力側においてＷＤＭ信号の強度が３倍の強度ＰＷ１（すなわち各波長の光信号の強度を強度ＰＷ１）となるように増幅する。増幅器８０ａは、増幅したＷＤＭ信号を伝送路ＯＦ１に出力する。
【００４５】
例えば、図３に示した状態２のように、トランスポンダ２５（２）が故障等により波長λ２の光信号を射出しない場合、ＰＤ５０ａ（２）は、波長λ２の光信号の強度を０と測定する。制御部１２０は、ＰＤ５０ａの測定に基づいて、トランスポンダ２５から射出され閾値α以上を示す光信号の数として、波長λ１、λ３の光信号の合計数２を得る。制御部１２０は、合波部３０ａで多重化される光信号の合計数が２のため、増幅器８０ａによる増幅後のＷＤＭ信号の強度が２倍の強度ＰＷ１となるように、増幅器８０ａの利得を設定する。そして、増幅器８０ａは、図３に示すように、増幅器８０ａの出力側においてＷＤＭ信号の強度が２倍の強度ＰＷ１（すなわち波長λ１、λ３の光信号の強度を強度ＰＷ１）となるように増幅する。増幅器８０ａは、増幅したＷＤＭ信号を伝送路ＯＦ１に出力する。すなわち、伝送装置１０ａは、増幅器８０ａを自動レベル制御することで、ＷＤＭ信号に含まれる各波長の光信号の強度を所定の範囲内で一定に制御することができる。
【００４６】
一方、例えば、図３に示した状態３のように、トランスポンダ２５（２）が故障等により波長λ２からずれた波長の光信号を射出する場合、ＰＤ５０ａ（２）は、波長λ２の光信号として閾値α以上の強度を測定する。制御部１２０は、ＰＤ５０ａの測定に基づいて、トランスポンダ２５から射出され閾値α以上を示す光信号の合計数３を得る。そして、制御部１２０は、増幅器８０ａによる増幅後のＷＤＭ信号の強度が３倍の強度ＰＷ１となるように、増幅器８０ｂの利得を設定する。
【００４７】
しかしながら、波長λ２からずれた波長の光信号は、図３に示すように、合波部３０ａに搭載されたフィルタにより遮断される、あるいは閾値γより小さい強度まで減衰される。これにより、増幅器８０ａは、ＷＤＭ信号の強度を３倍の強度ＰＷ１となるように、波長λ１、λ３の光信号の強度を強度ＰＷ１以上の強度ＰＷ２まで増幅する。そして、伝送装置１０ａ（２）が、強度ＰＷ１以上の強度ＰＷ２に増幅されたＷＤＭ信号を受信する場合、伝送装置１０ａ（２）の増幅器８０ｂあるいはトランスポンダ２５等の要素が誤作動する虞がある。そこで、制御部１２０は、伝送装置１０ａ（２）より取得された情報およびＰＤ５０ｂの測定に基づいて、設定された波長からずれた波長の光信号を射出する伝送装置１０ａ（２）のトランスポンダ２５を検出部７０ａに検出させる。制御部１２０は、正常に動作していないと判定されたトランスポンダ２５を、伝送路ＯＦ１を介し伝送装置１０ａ（２）に通知する。伝送装置１０ａ（２）の制御部１２０は、伝送装置１０ａ（１）から受信した通知に基づいて、正常に動作していないと判定されたトランスポンダ２５を停止させる。
【００４８】
図４および図５は、図２に示した伝送システム１００ａにおける故障の検出処理の一例を示す。図４および図５に示したステップＳ１００からステップＳ１７０の処理は、伝送装置１０ａ（１）の制御部１２０がプログラムを実行することにより実現される。また、図４および図５に示したステップＳ２００からステップＳ２４０の処理は、伝送装置１０ａ（２）の制御部１２０がプログラムを実行することにより実現される。なお、図４および図５に示した処理は、伝送装置１０ａに搭載されるハードウェアにより実行されてもよい。この場合、図２に示した取得部６０ａおよび検出部７０ａは、伝送装置１０ａ内に配置される回路により実現される。
【００４９】
図４および図５に示した処理は、伝送装置１０ａ（２）から伝送装置１０ａ（１）にＷＤＭ信号を伝送する場合を示す。伝送装置１０ａ（１）から伝送装置１０ａ（２）にＷＤＭ信号を伝送する場合の処理は、図４および図５の符号１０ａ（１）、１０ａ（２）を入れ替えることで実現される。
【００５０】
ステップＳ２００では、伝送装置１０ａ（２）のＰＤ５０ａは、各トランスポンダ２５から射出された光信号の強度を測定する。ＰＤ５０ａは、測定した光信号の強度を制御部１２０に出力する。
【００５１】
ステップＳ２１０では、取得部６０ａは、ＶＯＡ４５のそれぞれに設定された減衰量を取得する。
【００５２】
ステップＳ２２０では、制御部１２０は、伝送装置１０ａ（１）へ伝送される各波長の光信号の射出時の状態を示す情報を、伝送路ＯＦ２を介して伝送装置１０ａ（１）に送信する。送信する各波長の光信号の射出時の状態を示す情報には、ステップＳ２００で測定されたトランスポンダ２５から射出された光信号の強度およびステップＳ２１０で取得されたＶＯＡ４５の減衰量が少なくとも含まれる。
【００５３】
一方、ステップＳ１００では、ＰＤ５０ｂは、伝送装置１０ａ（２）から受信したＷＤＭ信号に多重化された各波長の光信号の強度を測定する。ＰＤ５０ｂは、測定した光信号の強度を制御部１２０に出力する。
【００５４】
ステップＳ１１０では、取得部６０ａは、ステップＳ２２０で伝送装置１０ａ（２）から送信された各波長の光信号の射出時の状態を示す情報を、伝送路ＯＦ２を介して取得する。
【００５５】
ステップＳ１２０では、検出部７０ａは、伝送路ＯＦ２において断線等の障害がないことを示す第１の条件を満たすか否かを判定する。例えば、検出部７０ａは、ステップＳ１００で測定された各波長の光信号の強度のうち、伝送装置１０ａ（２）における検出対象のトランスポンダ２５以外のトランスポンダ２５からの光信号の強度が０より大きいか否かを判定する。検出部７０ａは、検出対象のトランスポンダ２５以外の少なくとも１つのトランスポンダ２５からの光信号の強度が０より大きい場合、伝送路ＯＦ２に断線等の障害がなく、第１の条件を満たすと判定する。この場合、伝送装置１０ａ（１）の処理は、ステップＳ１３０に移る。一方、検出部７０ａは、検出対象のトランスポンダ２５以外のトランスポンダ２５からの光信号の強度が０の場合、伝送路ＯＦ２に断線等の障害が発生し、第１の条件を満たしていないと判定する。この場合、伝送装置１０ａ（１）の処理は終了する。なお、制御部１２０は、例えば、検出部７０ａによる判定の結果に基づいて、監視装置９０に伝送路ＯＦ２に障害が発生した旨を通知してもよい。そして、伝送システム１００ａの管理者等は、監視装置９０に表示された通知に基づいて、伝送路ＯＦ２の復旧を行うのがよい。
【００５６】
ステップＳ１３０では、検出部７０ａは、ステップＳ１１０で取得された情報に基づいて、伝送装置１０ａ（２）のＶＯＡ４５に設定された減衰量が閾値βより小さいことを示す第２の条件を満たすか否かを判定する。検出部７０ａは、ステップＳ１１０で取得された各波長の光信号の射出時の状態を示す情報に含まれる各ＶＯＡ４５に設定された減衰量が閾値βより小さい場合、第２の条件を満たすと判定する。すなわち、検出部７０ａは、伝送装置１０ａ（２）のトランスポンダ２５から射出された光信号がＶＯＡ４５で遮断されず、合波部３０ａに入力されると判定する。この場合、伝送装置１０ａ（１）の処理はステップＳ１４０に移る。
【００５７】
一方、検出部７０ａは、伝送装置１０ａ（２）から取得された情報におけるＶＯＡ４５のいずれかの減衰量が閾値β以上の場合、第２の条件を満たしていないと判定する。すなわち、検出部７０ａは、減衰量が閾値β以上に設定された伝送装置１０ａ（２）のＶＯＡ４５によりトランスポンダ２５から射出された光信号が遮断され、合波部３０ａに入力されていないと判定する。この場合、伝送装置１０ａ（１）の処理は終了する。なお、制御部１２０は、例えば、減衰量が閾値β以上と検出部７０ａにより判定された伝送装置１０ａ（２）のＶＯＡ４５の減衰量が適切でない旨を監視装置９０に通知してもよい。そして、伝送システム１００ａの管理者等は、監視装置９０に表示された通知に基づいて、伝送装置１０ａ（２）におけるＶＯＡ４５の減衰量を再設定してもよい。
【００５８】
ステップＳ１４０では、検出部７０ａは、ステップＳ１１０で取得された情報に基づいて、伝送装置１０ａ（２）のトランスポンダ２５から射出された時の各波長の光信号の強度が閾値α以上を示す第３の条件を満たすか否かを判定する。検出部７０ａは、ステップＳ１１０で取得された情報における各波長の光信号の射出時の強度が閾値α以上の場合、伝送装置１０ａ（２）の各トランスポンダ２５からの光信号が合波部３０ａに入力され、第３の条件を満たすと判定する。この場合、伝送装置１０ａ（１）の処理は、ステップＳ１５０に移る。
【００５９】
一方、検出部７０ａは、ステップＳ１１０で取得された情報におけるいずれかの波長の光信号の射出時の強度が閾値αより小さい場合、第３の条件を満たしていないと判定する。この場合、伝送装置１０ａ（１）の処理は、終了する。なお、検出部７０ａは、ステップＳ１３０で伝送装置１０ａ（２）のＶＯＡ４５の減衰量が閾値βより小さい（すなわち、第２の条件を満たしている）と判定している。すなわち、射出時の強度が閾値αより小さい伝送装置１０ａ（２）のトランスポンダ２５は、正常に動作していないことを示す。そこで、制御部１２０は、例えば、強度が閾値αより小さい光信号を射出する伝送装置１０ａ（２）のトランスポンダ２５が故障した旨を監視装置９０に通知してもよい。そして、伝送システム１００ａの管理者等は、監視装置９０に表示された通知に基づいて、伝送装置１０ａ（２）のトランスポンダ２５を交換等により復旧してもよい。
【００６０】
図５に示したステップＳ１５０では、検出部７０ａは、ステップＳ１００で測定された受信時の各波長の光信号の強度に基づいて、送信元の伝送装置１０ａ（２）のトランスポンダ２５の異常を検出する。例えば、検出部７０ａは、ステップＳ１００で測定された強度が予め設定された所定の強度以上の場合、伝送装置１０ａ（２）のトランスポンダ２５に波長ずれ等の異常がない（すなわち正常に動作している）と判定する。この場合、伝送装置１０ａ（１）の処理は終了する。
【００６１】
一方、検出部７０ａは、ステップＳ１００で測定された強度が所定の強度より小さい場合、所定の強度より小さい強度の光信号を射出した伝送装置１０ａ（２）のトランスポンダ２５に、波長ずれ等の異常が発生（すなわち正常に動作していない）と判定する。この場合、伝送装置１０ａ（１）の処理は、ステップＳ１６０に移る。
【００６２】
ステップＳ１６０では、制御部１２０は、ステップＳ１５０で異常が発生と判定された伝送装置１０ａ（２）のトランスポンダ２５を示す情報を通知する信号を、伝送路ＯＦ１を介して伝送装置１０ａ（２）に送信する。
【００６３】
ステップＳ１７０では、制御部１２０は、監視装置９０に伝送装置１０ａ（２）のトランスポンダ２５に異常が発生した旨を通知する。そして、伝送システム１００ａの管理者等は、監視装置９０に表示された異常の発生を示す情報に基づいて、異常が発生と判定された伝送装置１０ａ（２）のトランスポンダ２５の交換等を行い、伝送装置１０ａ（２）を故障から復旧させる。
【００６４】
一方、ステップＳ２３０では、伝送装置１０ａ（２）の制御部１２０は、異常が発生したトランスポンダ２５を通知する信号を伝送装置１０ａ（１）から受信したか否かを判定する。制御部１２０が異常を通知する信号を伝送装置１０ａ（１）から受信したと判定した場合、伝送装置１０ａ（２）の処理は、ステップＳ２４０に移る。一方、伝送装置１０ａ（２）の制御部１２０が異常を通知する信号を伝送装置１０ａ（１）から受信しないと判定した場合、伝送装置１０ａ（２）の処理は終了する。
【００６５】
ステップＳ２４０では、制御部１２０は、ステップＳ２３０で受信した通知に基づいて、レーザ光源に故障等の異常が発生したと判定されたトランスポンダ２５の動作を停止させる。制御部１２０は、異常が発生したと判定されたトランスポンダ２５の動作を停止させることで、図３に示した状態３のように、強度ＰＷ１以上の強度に増幅された波長の光信号を含むＷＤＭ信号の伝送を回避し、伝送装置１０ａ（１）の誤作動を回避できる。
【００６６】
なお、制御部１２０は、異常が発生したと判定されたトランスポンダ２５の動作を停止させる代わりに、トランスポンダ２５に接続されるＶＯＡ４５の減衰量を最大値に設定し、異常が発生したと判定されたトランスポンダ２５からの光信号を遮断してもよい。この場合、伝送システム１００ａの管理者等は、トランスポンダ２５の交換とＶＯＡ４５の減衰量の再設定とを行い、伝送装置１０ａ（２）を復旧させる。
【００６７】
そして、伝送システム１００ａは、処理を終了する。なお、図４および図５に示した処理は、所定の時間間隔で繰り返し実行されることが好ましい。
【００６８】
以上、図２から図５に示した実施形態では、伝送路ＯＦ１、ＯＦ２を介して受信する光信号の強度を測定するとともに、測定された光信号の状態情報を送信元の伝送装置１０ａから取得することで、送信元の伝送装置１０ａのトランスポンダ２５の異常を検出する。これにより、伝送装置１０ａは、チューナブルフィルタを用いることなくトランスポンダ２５の異常を検出することができ、チューナブルフィルタを含む光チャンネルモニタを用いないためコスト削減を図ることができる。
【００６９】
また、送信元の伝送装置１０ａの制御部１２０は、異常の通知を受けた場合、通知されたトランスポンダ２５を停止させるため、図３に示した状態３のように、強度ＰＷ１以上の強度ＰＷ２に増幅された波長の光信号を含むＷＤＭ信号の伝送を回避できる。そして、受信側の伝送装置１０ａは、強度ＰＷ２に増幅された光信号を含むＷＤＭ信号を受信することで生じる誤作動を回避することができる。
【００７０】
図６は、伝送システムおよび伝送装置の別の実施形態を示す。図６に示した伝送システム１００ｂは、Ｎ台の伝送装置１０ｂ（１０ｂ（１）−１０ｂ（Ｎ））を有する。各伝送装置１０ｂは、光ファイバ等の伝送路ＯＦｄ（ＯＦｄ（１）−ＯＦｄ（Ｎ−１））、ＯＦｕ（ＯＦｕ（１）−ＯＦｕ（Ｎ−１））を介して直列に接続される。なお、伝送装置１０ｂは、リング状に接続されてもよい。
【００７１】
また、伝送システム１００ｂの一端に位置する伝送装置１０ｂ（１）は、光ファイバ等の伝送路ＯＦＮ１（ＯＦＮ１（１）、ＯＦＮ１（２））を介してネットワーク３００ａに接続される。また、伝送システム１００ｂの他端に位置する伝送装置１０ｂ（Ｎ）は、光ファイバ等の伝送路ＯＦＮ２（ＯＦＮ２（１）、ＯＦＮ２（２））を介してネットワーク３００ｂに接続される。これにより、伝送システム１００は、ネットワーク３００ａ、３００ｂ間で互いにデータを伝送可能である。
【００７２】
例えば、監視装置１９０は、ＣＰＵ等の演算処理装置と、ハードディスク装置等の記憶装置とを有するコンピュータ装置である。監視装置１９０は、有線あるいは無線で伝送装置１０ｂのそれぞれに接続され、各伝送装置１０ｂの動作を監視する。なお、監視装置１９０は、ネットワーク３００ａあるいはネットワーク３００ｂに接続され、ネットワーク３００ａあるいはネットワーク３００ｂを介して伝送システム１００の外部から各伝送装置１０ｂを監視してもよい。
【００７３】
図７は、図６に示した伝送装置１０ｂ（１）の一例を示す。伝送装置１０ｂ（１）は、Ｍ個のＰＤ（Photo Detector）１１０ａ（１１０ａ（１）−１１０ａ（Ｍ））およびＭ個のＰＤ１１０ｂ（１１０ｂ（１）−１１０ｂ（Ｍ））を有する。伝送装置１０ｂ（１）は、Ｋ個のＰＤ１１０ｃ（１１０ｃ（１）−１１０ｃ（Ｋ））およびＭ個のＰＤ１１０ｄ（１１０ｄ（１）−１１０ｄ（Ｍ））を有する。伝送装置１０ｂ（１）は、Ｍ個のＰＤ１１０ｅ（１１０ｅ（１）−１１０ｅ（Ｋ））およびＫ個のＰＤ１１０ｆ（１１０ｆ（１）−１１０ｆ（Ｋ））を有する。伝送装置１０ｂ（１）は、制御部１２０ａ、Ｍ個のＶＯＡ（Variable Optical Attenuator）１５０ａ（１５０ａ（１）−１５０ａ（Ｍ））およびＭ個のＶＯＡ１５０ｂ（１５０ｂ（１）−１５０ｂ（Ｍ））を有する。伝送装置１０ｂ（１）は、Ｍ個のトランスポンダＴＰ１（ＴＰ１（１）−ＴＰ１（Ｍ））、Ｍ個のトランスポンダＴＰ２（ＴＰ２（１）−ＴＰ２（Ｍ））、合波器ＭＵＸ１、ＭＵＸ２および分波器ＤＥＭＵＸ１、ＤＥＭＵＸ２を有する。伝送装置１０ｂ（１）は、増幅器ＡＭＰ１−ＡＭＰ４を有する。なお、伝送装置１０ｂ（２）−１０ｂ（Ｎ）は、図７に示した伝送装置１０ｂ（１）と同一または同様の要素を有する。なお、個数Ｍは、伝送するデータを入出力し、各伝送装置１０ｂに接続されるコンピュータ等の外部装置の数であり、伝送装置１０ｂごとに異なってもよい。また、個数Ｋは、伝送装置１０ｂを通過する光信号の数であり、伝送装置１０ｂごとに異なってもよい。
【００７４】
増幅器ＡＭＰ１−ＡＭＰ４は、ＬＤ（Laser Diode）等を有する。増幅器ＡＭＰ１−ＡＭＰ４は、ＬＤから射出されるレーザ光をＷＤＭ信号が伝達する光ファイバに注入することで、伝達するＷＤＭ信号の強度を増幅させる。増幅器ＡＭＰ１は、ネットワーク３００ａから受信したＷＤＭ信号の強度を増幅し、増幅したＷＤＭ信号を分波器ＤＥＭＵＸ１に出力する。増幅器ＡＭＰ２は、合波器ＭＵＸ１により多重化されたＷＤＭ信号の強度を増幅し、増幅したＷＤＭ信号を伝送装置１０ｂ（２）に出力する。一方、増幅器ＡＭＰ３は、伝送装置１０ｂ（２）から受信したＷＤＭ信号の強度を増幅し、増幅したＷＤＭ信号を分波器ＤＥＭＵＸ２に出力する。増幅器ＡＭＰ４は、合波器ＭＵＸ２により多重化されたＷＤＭ信号の強度を増幅し、増幅したＷＤＭ信号をネットワーク３００ａに出力する。
【００７５】
なお、増幅器ＡＭＰ１、ＡＭＰ３の利得は、制御部１２０ａがＬＤから出力されるレーザ光の強度を調整することで設定される。また、増幅器ＡＭＰ２、ＡＭＰ４の利得は、図２で示した増幅器８０ａと同様に、合波器ＭＵＸ１、ＭＵＸ２で多重化される光信号の数に応じて制御部１２０ａがＬＤから出力されるレーザ光の強度を調整することで設定される。すなわち、制御部１２０ａは、図２に示した制御部１２０と同様に、増幅器ＡＭＰ２、ＡＭＰ４に対して自動レベル制御（ＡＬＣ：Automatic Level Control）を実行する。
【００７６】
分波器ＤＥＭＵＸ１、ＤＥＭＵＸ２は、ＷＳＳ等である。分波器ＤＥＭＵＸ１は、増幅器ＡＭＰ１で増幅されたＷＤＭ信号を複数の光信号に分波する。分波器ＤＥＭＵＸ１は、分波した複数の光信号のうち、トランスポンダＴＰ１ごとに設定されたＭ個の波長の光信号を、ＰＤ１１０ａを介して対応するトランスポンダＴＰ１にそれぞれ出力する。また、分波器ＤＥＭＵＸ１は、Ｋ個の波長の光信号をＰＤ１１０ｃを介して合波器ＭＵＸ１に出力する。一方、分波器ＤＥＭＵＸ２は、分波した複数の光信号のうち、トランスポンダＴＰ２ごとに設定されたＭ個の波長の光信号を、ＰＤ１１０ｃを介して対応するトランスポンダＴＰ２にそれぞれ出力する。また、分波器ＤＥＭＵＸ２は、Ｋ個の波長の光信号をＰＤ１１０ｆを介して合波器ＭＵＸ２に出力する。
【００７７】
ＰＤ１１０ａ、１１０ｂ、１１０ｃ、１１０ｄ、１１０ｅ、１１０ｆは、受信した光信号の強度の一部を取り出すスプリッタ等の分離器と、取り出した光信号の強度を測定するフォトダイオード等の検出器とを有する。ＰＤ１１０ａは、分波器ＤＥＭＵＸ１で分波された光信号のうち、Ｍ個の波長の光信号を受信する。ＰＤ１１０ａは、受信した各波長の光信号をトランスポンダＴＰ１に出力するとともに、受信した各波長の光信号の強度を検出器で測定する。ＰＤ１１０ｂは、ＶＯＡ１５０ａを介してトランスポンダＴＰ１から受信した各波長の光信号を合波器ＭＵＸ１に出力するとともに、受信した各波長の光信号の強度を検出器で測定する。また、ＰＤ１１０ｃは、分波器ＤＥＭＵＸ１から受信したＫ個の波長の光信号を合波器ＭＵＸ１に出力するとともに、受信した光信号の強度を検出器で測定する。
【００７８】
ＰＤ１１０ｄは、分波器ＤＥＭＵＸ２で分波された光信号のうち、Ｍ個の波長の光信号を受信する。ＰＤ１１０ｄは、受信した各波長の光信号をトランスポンダＴＰ２に出力するとともに、受信した各波長の光信号の強度を検出器で測定する。ＰＤ１１０ｅは、ＶＯＡ１５０ｂを介してトランスポンダＴＰ２から受信した各波長の光信号を合波器ＭＵＸ２に出力するとともに、受信した各波長の光信号の強度を検出器で測定する。また、ＰＤ１１０ｆは、分波器ＤＥＭＵＸ２から受信したＫ個の波長の光信号を合波器ＭＵＸ２に出力するとともに、受信した各波長の光信号の強度を検出器で測定する。
【００７９】
合波器ＭＵＸ１、ＭＵＸ２は、ＷＳＳ等である。合波器ＭＵＸ１は、ＰＤ１１０ｂを介してトランスポンダＴＰ１から受信した光信号と、ＰＤ１１０ｃを介して分波器ＤＥＭＵＸ１から受信した光信号とを多重化する。合波器ＭＵＸ１は、多重化したＷＤＭ信号を増幅器ＡＭＰ２に出力する。一方、合波器ＭＵＸ２は、ＰＤ１１０ｅを介してトランスポンダＴＰ２から受信した光信号と、ＰＤ１１０ｆを介して分波器ＤＥＭＵＸ２から受信した光信号とを多重化する。合波器ＭＵＸ２は、多重化したＷＤＭ信号を増幅器ＡＭＰ４に出力する。なお、合波器ＭＵＸ１、ＭＵＸ２は、複数の光信号を受信する入力側に、各光信号を透過するフィルタを有する。フィルタが透過する光信号の波長は、制御部１２０ａによる制御に基づいて設定される。
【００８０】
トランスポンダＴＰ１は、伝送装置１０ｂに接続されたコンピュータ等の外部の装置からデータを含む電気信号を受信し、受信した電気信号を予め設定された波長の光信号に変換するレーザ光源等を有する。トランスポンダＴＰ１は、レーザ光源から射出された光信号をＶＯＡ１５０ａに出力する。また、トランスポンダＴＰ１は、分波器ＤＥＭＵＸ１により分波された光信号のうち、予め設定された波長の光信号をＰＤ１１０ａを介して受信し、受信した光信号を電気信号に変換する変換装置を有する。そして、トランスポンダＴＰ１は、変換した電気信号を接続された外部の装置に出力する。
【００８１】
トランスポンダＴＰ２は、伝送装置１０ｂに接続されたコンピュータ等の外部の装置からデータを含む電気信号を受信し、受信した電気信号を予め設定された波長の光信号に変換するレーザ光源等を有する。トランスポンダＴＰ２は、レーザ光源から射出された光信号をＶＯＡ１５０ｂに出力する。また、トランスポンダＴＰ２は、分波器ＤＥＭＵＸ２により分波された光信号のうち、予め設定された波長の光信号をＰＤ１１０ｄを介して受信し、受信した光信号を電気信号に変換する変換装置を有する。そして、トランスポンダＴＰ２は、変換した電気信号を接続された外部の装置に出力する。トランスポンダＴＰ１、ＴＰ２は、光源の一例である
ＶＯＡ１５０ａは、各トランスポンダＴＰ１から出力された光信号の強度が互いに等しくなるように調整する。ＶＯＡ１５０ａは、強度を調整した光信号をＰＤ１１０ｂに出力する。また、ＶＯＡ１５０ｂは、各トランスポンダＴＰ２から出力された光信号の強度が互いに等しくなるように調整する。ＶＯＡ１５０ｂは、強度を調整した光信号をＰＤ１１０ｅに出力する。ＶＯＡ１５０ａ、１５０ｂにおける減衰量は、制御部１２０ａの制御に基づいて設定される。ＶＯＡ１５０ａ、１５０ｂは、調整部の一例である。
【００８２】
例えば、制御部１２０ａは、ＣＰＵ等の演算処理装置である。制御部１２０ａは、伝送装置１０ｂ（１）に含まれるメモリ等の記憶装置に格納されたプログラムを実行することで、伝送装置１０ｂ（１）の各要素の動作を制御する。また、制御部１２０ａは、伝送装置１０ｂ（１）の記憶装置に格納されるプログラムを実行することで、取得部６０ｂおよび検出部７０ｂとして機能する。図７の点線の矢印は、制御部１２０と各要素とを繋ぐ信号線を示す。
【００８３】
取得部６０ｂは、伝送装置１０ｂ（２）のトランスポンダＴＰ２により射出された各波長の光信号の射出時の状態を示す情報を、伝送路ＯＦｕ（１）を介して伝送装置１０ｂ（２）の制御部１２０ａから取得する。なお、制御部１２０ａは、隣接する伝送装置１０ｂから取得した各波長の光信号の射出時の情報を、伝送路ＯＦｄ、ＯＦｕを介して別の隣接する伝送装置１０ｂに転送してもよい。
【００８４】
また、取得部６０ｂは、伝送装置１０ｂ（１）の増幅器ＡＭＰ１−ＡＭＰ４あるいはＶＯＡ１５０ａ、１５０ｂに設定された利得あるいは減衰量等の設定値を取得する。
【００８５】
また、取得部６０ｂは、ＰＤ１１０ａ、１１０ｃ、１１０ｄ、１１０ｆの各々で測定された光信号の強度を取得する。また、取得部６０ｂは、ＰＤ１１０ｂ、１１０ｅの各々で測定された各トランスポンダＴＰ１、ＴＰ２から射出された光信号の強度を取得する。制御部１２０ａは、伝送装置１０ｂ（１）が送信元の場合に、取得部６０ｂにより取得された各ＰＤ１１０ｂで測定された光信号の強度および各ＶＯＡ１５０ａの減衰量を、トランスポンダＴＰ１から射出された時の光信号の状態を示す状態情報として生成する。そして、制御部１２０ａは、伝送路ＯＦｄ（１）を介して、生成した伝送装置１０ｂ（１）の状態情報を送信先の伝送装置１０ｂ（２）に送信する。
【００８６】
なお、伝送装置１０ｂ（２）−１０ｂ（Ｎ−１）の各々の制御部１２０ａは、送信元の場合、２つの状態情報を生成する。すなわち、各ＰＤ１１０ｂで測定された光信号の強度および各ＶＯＡ１５０ａの減衰量を含む状態情報と、各ＰＤ１１０ｅで測定された光信号の強度および各ＶＯＡ１５０ｂの減衰量を含む状態情報とが生成される。伝送装置１０ｂ（２）−１０ｂ（Ｎ−１）の各々の制御部１２０ａは、図６に示すように、左側あるいは右側で対向する伝送装置１０ｂに応じて２つの状態情報のいずれかを送信する。
【００８７】
検出部７０ｂは、伝送装置１０ｂ（２）から取得された各波長の光信号の射出時の状態を示す情報およびＰＤ１１０ｄで測定された各波長の光信号の強度に基づき、送信元の伝送装置１０ｂ（２）の各トランスポンダＴＰ２の異常を検出する。そのために、検出部７０ｂは、図２に示した検出部７０ａと同様に、第１の条件、第２の条件および第３の条件を満たすか否かを判定する。すなわち、検出部７０ｂは、伝送路ＯＦｕ（１）において断線等の障害がないことを示す第１の条件を満たすか否かを判定する。また、検出部７０ｂは、伝送装置１０ｂ（２）のＶＯＡ１５０ｂに設定された減衰量が閾値βより小さいことを示す第２の条件を満たすか否かを判定する。さらに、検出部７０ｂは、伝送装置１０ｂ（２）のトランスポンダＴＰ２から射出された時の各波長の光信号の強度が閾値α以上を示す第３の条件を満たすか否かを判定する。
【００８８】
そして、検出部７０ｂは、第１の条件から第３の条件を満たす場合、図２に示した検出部７０ａと同様に、ＰＤ１１０ｄで測定された各波長の光信号の強度に基づいて、送信元の伝送装置１０ｂ（２）の各トランスポンダＴＰ２における動作の状態を検査する。検出部７０ｂが、検査により伝送装置１０ｂ（２）のトランスポンダＴＰ２の異常を検出した場合、制御部１２０ａは、伝送路ＯＦｄ（１）を介し異常が検出されたトランスポンダＴＰ２を示す情報を伝送装置１０ｂ（２）に通知する。伝送装置１０ｂ（２）の制御部１２０ａは、伝送装置１０ｂ（１）から受信した通知に基づいて、異常が検出されたトランスポンダＴＰ２を停止させる。
【００８９】
図８および図９は、図６に示した伝送システム１００ｂにおける故障の検出処理の一例を示す。図８および図９に示したステップＳ３００からステップＳ３７０の処理は、伝送装置１０ｂ（１）の制御部１２０ａがプログラムを実行することにより実現される。また、図８および図９に示したステップＳ４００からステップＳ４４０の処理は、伝送装置１０ｂ（２）の制御部１２０ａがプログラムを実行することにより実現される。なお、図８および図９に示した処理は、伝送装置１０ｂに搭載されるハードウェアにより実行されてもよい。この場合、図７に示した取得部６０ｂおよび検出部７０ｂは、伝送装置１０ｂ内に配置される回路により実現される。
【００９０】
図８および図９に示した処理は、伝送装置１０ｂ（２）から伝送装置１０ｂ（１）にＷＤＭ信号を伝送する場合を示す。伝送装置１０ｂ（１）から伝送装置１０ｂ（２）にＷＤＭ信号を伝送する場合の処理は、図８および図９の符号１０ｂ（１）、１０ｂ（２）を入れ替えることで実現される。また、図８および図９に示した処理は、伝送装置１０ｂ（３）−１０ｂ（Ｎ）のうち、互いに隣接する２つの伝送装置１０ｂとの間の処理に適用できる。
【００９１】
また、伝送装置１０ｂは、少なくとも１つの伝送装置１０ｂを経由して、他の伝送装置１０ｂにＷＤＭ信号を伝送してもよい。この場合、ＷＤＭ信号を中継する伝送装置１０ｂの制御部１２０ａは、隣接する伝送装置１０ｂから取得した各波長の光信号の射出時の情報を別の隣接する伝送装置１０ｂに転送する機能を有する。
【００９２】
ステップＳ４００では、伝送装置１０ｂ（２）のＰＤ１１０ｅは、各トランスポンダＴＰ２から射出された光信号の強度を測定する。ＰＤ１１０ｅは、測定した光信号の強度を制御部１２０ａに出力する。
【００９３】
ステップＳ４１０では、取得部６０ｂは、ＶＯＡ１５０ｂのそれぞれに設定された減衰量を取得する。
【００９４】
ステップＳ４２０では、制御部１２０ａは、伝送装置１０ｂ（１）へ伝送される各波長の光信号の射出時の状態を示す情報を、伝送路ＯＦｕ（１）を介して伝送装置１０ｂ（１）に送信する。送信する各波長の光信号の射出時の状態を示す情報には、ステップＳ４００で測定されたトランスポンダＴＰ２から射出された光信号の強度およびステップＳ４１０で取得されたＶＯＡ１５０ｂの減衰量が少なくとも含まれる。
【００９５】
一方、ステップＳ３００では、ＰＤ１１０ｄ、１１０ｆは、伝送装置１０ｂ（２）から受信したＷＤＭ信号に多重化された各波長の光信号の強度を測定する。ＰＤ１１０ｄ、１１０ｆは、測定した光信号の強度を制御部１２０ａに出力する。
【００９６】
ステップＳ３１０では、取得部６０ｂは、ステップＳ４２０で伝送装置１０ｂ（２）から送信された各波長の光信号の射出時の状態を示す情報を、伝送路ＯＦｕ（１）を介して取得する。
【００９７】
ステップＳ３２０では、検出部７０ｂは、伝送路ＯＦｕ（１）において断線等の障害がないことを示す第１の条件を満たすか否かを判定する。例えば、検出部７０ｂは、ステップＳ３００で測定された各波長の光信号の強度のうち、伝送装置１０ｂ（２）における検出対象のトランスポンダＴＰ２以外のトランスポンダＴＰ２からの光信号の強度が０より大きいか否かを判定する。検出部７０ｂは、検出対象のトランスポンダＴＰ２以外の少なくとも１つのトランスポンダＴＰ２からの光信号の強度が０より大きい場合、伝送路ＯＦｕ（１）に断線等の障害がなく、第１の条件を満たすと判定する。この場合、伝送装置１０ｂ（１）の処理は、ステップＳ３３０に移る。一方、検出部７０ｂは、検出対象のトランスポンダＴＰ２以外のトランスポンダＴＰ２からの光信号の強度が０の場合、伝送路ＯＦｕ（１）に断線等の障害が発生し、第１の条件を満たしていないと判定する。この場合、伝送装置１０ｂ（１）の処理は終了する。なお、制御部１２０ａは、例えば、検出部７０ｂによる判定の結果に基づいて、監視装置１９０に伝送路ＯＦｕ（１）に障害が発生した旨を通知してもよい。そして、伝送システム１００ｂの管理者等は、監視装置１９０に表示された通知に基づいて、伝送路ＯＦｕ（１）の復旧を行うのがよい。
【００９８】
ステップＳ３３０では、検出部７０ｂは、ステップＳ３１０で取得された情報に基づいて、伝送装置１０ｂ（２）のＶＯＡ１５０ｂに設定された減衰量が閾値βより小さいことを示す第２の条件を満たすか否かを判定する。検出部７０ｂは、ステップＳ３１０で取得された各波長の光信号の射出時の状態を示す情報に含まれる各ＶＯＡ１５０ｂに設定された減衰量が閾値βより小さい場合、第２の条件を満たすと判定する。すなわち、検出部７０ｂは、伝送装置１０ｂ（２）のトランスポンダＴＰ２から射出された光信号がＶＯＡ１５０ｂで遮断されず、合波器ＭＵＸ２に入力されると判定する。この場合、伝送装置１０ｂ（１）の処理はステップＳ３４０に移る。
【００９９】
一方、検出部７０ｂは、伝送装置１０ｂ（２）から取得された情報におけるＶＯＡ１５０ｂのいずれかの減衰量が閾値β以上の場合、第２の条件を満たしていないと判定する。すなわち、検出部７０ｂは、減衰量が閾値β以上に設定された伝送装置１０ｂ（２）のＶＯＡ１５０ｂによりトランスポンダＴＰ２から射出された光信号が遮断され、合波器ＭＵＸ２に入力されていないと判定する。この場合、伝送装置１０ｂ（１）の処理は終了する。なお、制御部１２０ａは、例えば、減衰量が閾値β以上と検出部７０ｂにより判定された伝送装置１０ｂ（２）のＶＯＡ１５０ｂの減衰量が適切でない旨を監視装置１９０に通知してもよい。そして、伝送システム１００ｂの管理者等は、監視装置１９０に表示された通知に基づいて、伝送装置１０ｂ（２）におけるＶＯＡ１５０ｂの減衰量を再設定してもよい。
【０１００】
ステップＳ３４０では、検出部７０ｂは、ステップＳ３１０で取得された情報に基づいて、伝送装置１０ｂ（２）のトランスポンダＴＰ２から射出された時の各波長の光信号の強度が閾値α以上を示す第３の条件を満たすか否かを判定する。検出部７０ｂは、ステップＳ３１０で取得された情報における各波長の光信号の射出時の強度が閾値α以上の場合、伝送装置１０ｂ（２）の各トランスポンダＴＰ２からの光信号が合波器ＭＵＸ２に入力され、第３の条件を満たすと判定する。この場合、伝送装置１０ｂ（１）の処理は、ステップＳ３５０に移る。
【０１０１】
一方、検出部７０ｂは、ステップＳ３１０で取得された情報におけるいずれかの波長の光信号の射出時の強度が閾値αより小さい場合、第３の条件を満たしていないと判定する。この場合、伝送装置１０ｂ（１）の処理は、終了する。なお、検出部７０ｂは、ステップＳ３３０で伝送装置１０ｂ（２）のＶＯＡ１５０ｂの減衰量が閾値βより小さい（すなわち、第２の条件を満たしている）と判定している。すなわち、射出時の強度が閾値αより小さい伝送装置１０ｂ（２）のトランスポンダＴＰ２は、正常に動作していないことを示す。そこで、制御部１２０ａは、例えば、強度が閾値αより小さい光信号を射出する伝送装置１０ｂ（２）のトランスポンダＴＰ２が故障した旨を監視装置１９０に通知してもよい。そして、伝送システム１００ｂの管理者等は、監視装置１９０に表示された通知に基づいて、伝送装置１０ｂ（２）のトランスポンダＴＰ２を交換等により復旧してもよい。
【０１０２】
図９に示したステップＳ３５０では、検出部７０ｂは、ステップＳ３００で測定された受信時の各波長の光信号の強度に基づいて、送信元の伝送装置１０ｂ（２）のトランスポンダＴＰ２の異常を検出する。例えば、検出部７０ｂは、ステップＳ３００で測定された強度が予め設定された所定の強度以上の場合、伝送装置１０ｂ（２）のトランスポンダＴＰ２に波長ずれ等の異常がない（すなわち正常に動作している）と判定する。この場合、伝送装置１０ｂ（１）の処理は終了する。
【０１０３】
一方、検出部７０ｂは、ステップＳ３００で測定された強度が所定の強度より小さい場合、所定の強度より小さい強度の光信号を射出した伝送装置１０ｂ（２）のトランスポンダＴＰ２に、波長ずれ等の異常が発生（すなわち正常に動作していない）と判定する。この場合、伝送装置１０ｂ（１）の処理は、ステップＳ３６０に移る。
【０１０４】
ステップＳ３６０では、制御部１２０ａは、ステップＳ３５０で障害が発生と判定された伝送装置１０ｂ（２）のトランスポンダＴＰ２を示す情報を通知する信号を、伝送路ＯＦｄ（１）を介して伝送装置１０ｂ（２）に送信する。
【０１０５】
ステップＳ３７０では、制御部１２０ａは、監視装置１９０に伝送装置１０ｂ（２）のトランスポンダＴＰ２に異常が発生した旨を通知する。そして、伝送システム１００ｂの管理者等は、監視装置１９０に表示された異常の発生を示す情報に基づいて、異常が発生と判定された伝送装置１０ｂ（２）のトランスポンダＴＰ２の交換等を行い、伝送装置１０ｂ（２）を故障から復旧させる。
【０１０６】
一方、ステップＳ４３０では、伝送装置１０ｂ（２）の制御部１２０ａは、異常が発生したトランスポンダＴＰ２を通知する信号を伝送装置１０ｂ（１）から受信したか否かを判定する。制御部１２０ａが異常を通知する信号を伝送装置１０ｂ（１）から受信したと判定した場合、伝送装置１０ｂ（２）の処理は、ステップＳ４４０に移る。一方、伝送装置１０ｂ（２）の制御部１２０ａが異常を通知する信号を伝送装置１０ｂ（１）から受信しないと判定した場合、伝送装置１０ｂ（２）の処理は終了する。
【０１０７】
ステップＳ４４０では、制御部１２０ａは、ステップＳ４３０で受信した通知に基づいて、レーザ光源に故障等の異常が発生したと判定されたトランスポンダＴＰ２の動作を停止させる。制御部１２０ａは、異常が発生したと判定されたトランスポンダＴＰ２の動作を停止させることで、図３に示した状態３のように、強度ＰＷ１以上の強度に増幅された波長の光信号を含むＷＤＭ信号の伝送を回避し、伝送装置１０ｂ（１）の誤作動を回避できる。
【０１０８】
なお、制御部１２０ａは、異常が発生したと判定されたトランスポンダＴＰ２の動作を停止させる代わりに、トランスポンダＴＰ２に接続されるＶＯＡ１５０ｂの減衰量を最大値に設定してもよい。これにより、ＶＯＡ１５０ｂは、異常が発生したと判定されたトランスポンダＴＰ２からの光信号を遮断する。この場合、伝送システム１００ｂの管理者等は、トランスポンダＴＰ２の交換とＶＯＡ１５０ｂの減衰量の再設定とを行い、伝送装置１０ｂ（２）を復旧させる。
【０１０９】
そして、伝送システム１００ｂは、処理を終了する。なお、図８および図９に示した処理は、所定の時間間隔で繰り返し実行されることが好ましい。
【０１１０】
以上、図６から図９に示した実施形態では、伝送装置１０ｂは、伝送路ＯＦｄ、ＯＦｕを介して受信する光信号の強度を測定するとともに、測定された光信号の状態情報を送信元の伝送装置１０ｂから取得する。伝送装置１０ｂは、取得した状態情報に基づいて、送信元の伝送装置１０ｂのトランスポンダＴＰ１、ＴＰ２の異常を検出する。これにより、伝送装置１０ｂは、チューナブルフィルタを用いることなくトランスポンダＴＰ１、ＴＰ２の異常を検出することができ、チューナブルフィルタを含む光チャンネルモニタを用いないためコスト削減を図ることができる。
【０１１１】
また、送信元の伝送装置１０ｂの制御部１２０ａは、異常の通知を受けた場合、通知されたトランスポンダＴＰ１、ＴＰ２を停止させる。これにより、図３に示した状態３のように、強度ＰＷ１以上の強度ＰＷ２に増幅された波長の光信号を含むＷＤＭ信号の伝送が回避できる。そして、受信側の伝送装置１０ｂは、強度ＰＷ２に増幅された光信号を含むＷＤＭ信号を受信することで生じる誤作動を回避することができる。
【０１１２】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【０１１３】
１０（１）−１０（２），１０ａ（１）−１０ａ（２），１０ｂ（１）−１０ｂ（Ｎ）…伝送装置；２０…光源；２５（１）−２５（Ｎ），ＴＰ１（１）−ＴＰ１（Ｍ），ＴＰ２（１）−ＴＰ２（Ｍ）…トランスポンダ；３０，３０ａ…合波部；４０，４０ａ…分波部；４５（１）−４５（Ｎ），１５０ａ（１）−１５０ａ（Ｍ），１５０ｂ（１）−１５０ｂ（Ｍ）…ＶＯＡ；５０…測定部；５０ａ（１）−５０ａ（Ｎ），５０ｂ（１）−５０ｂ（Ｎ），１１０ａ（１）−１１０ａ（Ｍ），１１０ｂ（１）−１１０ｂ（Ｍ），１１０ｃ（１）−１１０ｃ（Ｋ），１１０ｄ（１）−１１０ｄ（Ｍ），１１０ｅ（１）−１１０ｅ（Ｍ），１１０ｆ（１）−１１０ｆ（Ｋ）…ＰＤ；６０，６０ａ，６０ｂ…取得部；７０，７０ａ，７０ｂ…検出部；８０ａ，８０ｂ，ＡＭＰ１−ＡＭＰ４…増幅器；９０，１９０…監視装置；１００，１００ａ，１００ｂ…伝送システム；１２０，１２０ａ…制御部；３００ａ，３００ｂ…ネットワーク；ＭＵＸ１，ＭＵＸ２…合波器；ＤＥＭＵＸ１，ＤＥＭＵＸ２…分波器；ＯＦ，ＯＦ１，ＯＦ２，ＯＦＮ１（１）−ＯＦＮ１（２），ＯＦＮ２（１）−ＯＦＮ２（２），ＯＦｄ（１）−ＯＦｄ（Ｎ−１），ＯＦｕ（１）−ＯＦｕ（Ｎ−１）…伝送路
【図１】
2016158125.tif 000003
【図２】
2016158125.tif 000004
【図３】
2016158125.tif 000005
【図４】
2016158125.tif 000006
【図５】
2016158125.tif 000007
【図６】
2016158125.tif 000008
【図７】
2016158125.tif 000009
【図８】
2016158125.tif 000010
【図９】
2016158125.tif 000011